(57)【特許請求の範囲】
【請求項１】
相対向する一対のハーフセット編みからなる非弾性糸編成組織と、相対向する一対のハーフセット編みからなる弾性糸編成組織とを必須の編成組織とし、かつ、メッシュ組織を備えるとともに、前記メッシュ組織において前記非弾性糸編成組織と前記弾性糸編成組織とが同行している、メッシュ経編地。
【請求項２】
前記メッシュ組織において、前記非弾性糸編成組織及び前記弾性糸編成組織の各ハーフセット編みが、４〜１２コースを繰り返し単位とし、各繰り返し単位において３〜５ウェールの範囲で左右に振られているものである、請求項１に記載のメッシュ経編地。
【請求項３】
前記メッシュ組織において、前記非弾性糸編成組織及び前記弾性糸編成組織の各ハーフセット編みが、６コースを繰り返し単位とし、各繰り返し単位において３ウェールの範囲で左右に振られているものである、請求項２に記載のメッシュ経編地。
【請求項４】
１４０〜２００℃で熱処理されたものである、請求項１から３までのいずれかに記載のメッシュ経編地。
【請求項５】
前記非弾性糸編成組織が、前記メッシュ組織を構成する基本組織と、前記基本組織から変化させてなる変化組織とを含むジャカード編成組織であるとともに、前記変化組織を含む全ての編目位置においてループが配置されてなるものである、請求項１から４までのいずれかに記載のメッシュ経編地。
【請求項６】
前記ジャカード編成組織は、一方のハーフセット編みの変位あるいは非変位ではループが形成されない編目位置を、他方のハーフセット編みの変位あるいは非変位によってループ形成して補うように編成されている、請求項５に記載のメッシュ経編地。
【請求項７】
請求項１から６までのいずれかに記載のメッシュ経編地からなる、衣類。
【発明の詳細な説明】
【技術分野】
【０００１】
本発明は、メッシュ経編地及び衣類に関し、詳しくは、縁始末をしなくても解れ（ほつれ）の生じ難いメッシュ経編地とこれを用いた衣類に関する。
【背景技術】
【０００２】
経編地の縁部は、何らの工夫もしない場合、解れを生じるため、従来、この解れを防止する手法が模索されてきた。
例えば、縁部を折り返して縫合する方法や、他の生地を縫い付ける方法があるが、これらの方法では、生地の厚みが増すため、着用感が損なわれたり、外観が損なわれたりといった問題があった。
そこで、単位経編地間を連結糸で連結しておき、抜き糸を抜き去って連結糸による連結を解くことで、縁始末不要な縁部を形成する技術も知られている。
しかし、この技術は、縁部の位置が予め決まっている場合であって、しかも直線状の縁部の場合にしか適用できない。
【０００３】
上記問題を解決するものとして、さらに、編組織が非弾性糸と弾性糸とを同行させた１×１編み組織であって、かつ各編針において非弾性糸と弾性糸のうちの少なくとも１方が閉じ目により編成された伸縮性経編地が提案されている（特許文献１参照）。
また、非弾性糸がプレーンコード組織であり、弾性糸が非弾性糸と同行するデンビ組織またはプレーンコード組織である伸縮性の経編地も提案されている（特許文献２参照）。
さらに、非弾性糸と弾性糸を編糸とする伸縮性経編地であって、これら非弾性糸と弾性糸とはいずれもアトラス組織で且つ同行する組織とし、縦・横・斜め方向のいずれの方向の裁断縁も、裁断状態のままで縁始末不要な縁が形成される構成としていることを特徴とする経編地も提案されている（特許文献３参照）。
しかし、これらの編成組織は、いずれもプレーンな生地であるので通気性や伸縮性が十分に得られ難く、これらの要求が強い用途、例えば、ファンデーションやインナーウェアなどの用途においては、十分に適したものとは言えなかった。
そして、従来、上記のごとき用途にも十分に応え得る通気性や伸縮性を備えた経編地としては、縁始末が不要なものというのは存在しなかった。
【先行技術文献】
【特許文献】
【０００４】
【特許文献１】特開２００３−１４７６１８号公報
【特許文献２】特開２００５−３２０６４２号公報
【特許文献３】特開２００７−１３１９５６号公報
【発明の概要】
【発明が解決しようとする課題】
【０００５】
そこで、本発明は、通気性や伸縮性に優れ、かつ、縁始末が不要な経編地と、これを用いた衣類を提供することを目的としている。
【課題を解決するための手段】
【０００６】
本発明者は、上記課題を解決するために、鋭意検討を行い、相対向する一対のハーフセット編みで編成された非弾性糸編成組織と弾性糸編成組織とを必須の編成組織とし、かつ、メッシュ組織を備えており、メッシュ組織において非弾性糸編成組織と弾性糸編成組織とが同行しているものであれば、メッシュ組織であるためにウェール・コース密度にあまり影響を受けることなく通気性と伸縮性を得ることができ、かつ、縁始末が不要なメッシュ経編地となることを見出し、本発明を完成するに至った。
【０００７】
すなわち、本発明にかかるメッシュ経編地は、相対向する一対のハーフセット編みからなる非弾性糸編成組織と、相対向する一対のハーフセット編みからなる弾性糸編成組織とを必須の編成組織とし、かつ、メッシュ組織を備えるとともに、前記メッシュ組織において前記非弾性糸編成組織と前記弾性糸編成組織とが同行している、ことを特徴とする。
本発明にかかる衣類は、上記本発明にかかるメッシュ経編地からなることを特徴とする。
【発明の効果】
【０００８】
本発明によれば、十分な通気性や伸縮性を備え、かつ、縁始末が不要なメッシュ経編地とこれを用いた衣類を提供することができる。
【図面の簡単な説明】
【０００９】
【図１】本発明のメッシュ経編地の一実施形態における非弾性糸と弾性糸の各編成組織図である。
【図２】本発明のメッシュ経編地において採用し得る、非弾性糸編成組織及び／又は弾性糸編成組織の変形例を示す編成組織図である。
【図３】本発明のメッシュ経編地の別の実施形態において、非弾性糸で編成される基本組織と弾性糸の各編成組織図である。
【図４】本発明のメッシュ経編地の別の実施形態において、非弾性糸で編成される変化組織を表す編成組織図である。
【図５】本発明のメッシュ経編地の別の実施形態において、ジャカード機構による組織変化の一態様を示す非弾性糸の編成組織図である。
【図６】本発明のメッシュ経編地の別の実施形態において、ジャカード機構による組織変化の別の態様を示す非弾性糸の編成組織図である。
【発明を実施するための形態】
【００１０】
以下、本発明にかかるメッシュ経編地（以下、本発明に関しメッシュ経編地について述べる際、簡素化のため、単に「経編地」と表記することがある）及びこれを用いた衣類の好ましい実施形態について詳しく説明するが、本発明の範囲はこれらの説明に拘束されることはなく、以下の例示以外についても、本発明の趣旨を損なわない範囲で適宜変更実施し得る。
【００１１】
〔非弾性糸編成組織〕
＜非弾性糸＞
非弾性糸編成組織は、非弾性糸による編成組織である。
ここで、非弾性糸としては、従来公知のものを使用することができる。具体的には、例えば、ナイロン、ポリエステルなどの合成繊維、レーヨン、アセテートなどの再生繊維、綿、絹などの天然繊維などからなるものを、経編地の用途や要求性能に合わせて適宜に選択して使用することができる。複数の繊維材料を組み合わせた複合糸も使用できる。通常、非弾性糸は伸び率１００％未満である。
【００１２】
非弾性糸の太さとしては、１７〜１５６ｄｔｅｘであることが好ましく、３３〜７８ｄｔｅｘであることがより好ましい。
【００１３】
＜編成組織＞
非弾性糸編成組織は、相対向する一対のハーフセット編みからなる。本発明の経編地は、経編地全体にわたってメッシュ組織が形成されていてもよいし、一部にメッシュ組織以外の領域（例えば、後述のジャカード柄部分など）を含んでいても良い。
相対向する一対のハーフセット編みは、１本おきに編成糸を通糸した２枚の筬により編成することができる。
【００１４】
メッシュ組織における非弾性糸編成組織は、相対向する一対の非弾性糸において、両非弾性糸が離間して透孔を形成する離間部が一定の繰り返し単位で繰り返されるものであれば特に限定されない。
好ましくは、４〜１２コースを繰り返し単位とし、各繰り返し単位において３〜５ウェールの範囲で左右に振られているものであり、より好ましくは、６コースを繰り返し単位とし、各繰り返し単位において３ウェールの範囲で左右に振られているものである。このような条件を満たすものにおいて、通気性、伸縮性、解れの生じ難さの全ての効果が良好に発揮されるものとなる。
【００１５】
本発明にかかる経編地は、上述のとおり、メッシュ組織以外に他の編成組織を含んでいても良い。このような他の編成組織は、ジャカード機構を備えた筬（ジャカード筬）を備えるジャカード編成装置により容易に形成することができる。
すなわち、非弾性糸編成組織として、メッシュ組織を構成する基本組織と、基本組織から変化させてなる変化組織とを含むジャカード編成組織を採用することができる。このとき、変化組織を含む全ての編目位置においてループが配置されてなるものとすることにより、経編地の厚みを増すことなく、柄や模様を有する経編地や、部分的に緊迫力の異なる経編地とすることができる。
【００１６】
このようなものとしては、例えば、一方のハーフセット編みの変位あるいは非変位ではループが形成されない編目位置を、他方のハーフセット編みの変位あるいは非変位によってループ形成して補うように編成したものが好ましく挙げられる。
【００１７】
ここで、ジャカード筬の基本構造は、１枚のジャカード筬を全体として一体的に運動させる、通常の筬と同様の作動機構に加えて、１枚のジャカード筬において個々のゲージ位置毎に別々に、編成位置を一定方向に変位させるか変位させないかを、任意に選択して作動制御する機構をも備えている。ジャカード筬に特有のこのような作動機構をジャカード機構と呼ぶ。
ジャカード筬の全体作動は、パターンホイールや電子制御装置（ＥＬ機）などを用いて、一定数のコース毎に繰り返すパターン制御を行なうことができる。
【００１８】
ジャカード筬のゲージ位置毎の作動制御は、予め作製された紋紙（ジャカードカード）を用いることができる。ジャカードカードには、コース毎に、各ゲージ位置での作動、すなわち、ジャカード機構の作用・非作用あるいは編成位置の変位・非変位の違いを、穿孔などによって物理的に記録されている。
ジャカードカードを使用せずに、電子的な記憶情報に基づく電子制御で、ジャカード筬の作動制御を行なうこともできる。この場合、コンピュータに入力された編成組織あるいは柄組織に関するデータから、ジャカード筬の各ゲージ位置における作動条件を演算し、その結果をジャカード筬の作動制御命令として出力することができる。
【００１９】
ジャカード筬を、常に一定の条件を満足させるように確実に作動制御させるためには、コンピュータに組み込まれた演算プログラムによって、ジャカード筬の作動制御を適切かつ迅速に行なうことが望ましい。
ジャカード編成装置に備えられたジャカード筬は、それぞれが通常のジャカード筬と同様のジャカード機構を備えていて、ゲージ位置毎の作用・非作用を制御できる。
【００２０】
〔弾性糸編成組織〕
＜弾性糸＞
弾性糸編成組織は、弾性糸による編成組織である。
ここで、弾性糸としては、従来公知のものを使用することができる。具体的には、例えば、ポリウレタン繊維などの弾性繊維からなるものなどが使用できる。弾性糸に非弾性糸を被覆した被覆弾性糸や、非弾性繊維と弾性繊維とを組み合わせた複合糸なども使用できる。通常、伸び率１５０％以上、好ましくは２００％以上である。
【００２１】
弾性糸の太さとしては、１５〜３１０ｄｔｅｘであることが好ましく、３３〜１５６ｄｔｅｘであることがより好ましい。
【００２２】
＜編成組織＞
弾性糸編成組織も、非弾性糸編成組織と同様、相対向する一対のハーフセット編みからなる。
そして、弾性糸編成組織は、経編地のメッシュ組織において、非弾性糸編成組織と同行していることが必要である。
ここで、同行とは、弾性糸編成組織を編成する弾性糸と非弾性糸編成組織を編成する非弾性糸とが、同一の編方向及び同一の変位幅で編成されることを意味するものであり、閉じ目・開き目の別は問わない。
【００２３】
〔経編地の編成〕
本発明にかかる経編地を編成するに際しては、通常の編成装置および編成方法が適用できる。
経編機としては、特に限定されず、例えば、トリコット編機、ラッセル編機などが使用でき、また、ジャカード編成組織を編成する場合には、ジャカード機構を備えたジャカード編機が使用できる。
編成後は、セット加工や精練処理、染色処理等の、通常の経編地に行われている処理を施すことができる。
【００２４】
本発明の経編地においては、プレセット加工及び／又はヒートセットを施すことによって、弾性糸同士あるいは弾性糸と非弾性糸とが強固に融着し、解れの防止効果がさらに高まる。この場合、プレセット加工及び／又はヒートセットのための熱処理の温度としては、１４０〜２００℃であることが好ましい。より詳しくは、この熱処理の好適温度は、用いる弾性糸の種類によっても異なり、一般的な弾性糸の場合、１８０〜２００℃が好ましく、１８５〜１９５℃がより好ましい。また、低温で溶融するタイプのもの（例えば、日清紡テキスタイル社製の「モビロン」など）であれば１４０〜１８５℃が好ましく、１４５〜１８０℃がより好ましい。
また、時間としては、３０秒〜２分であることが好ましく、３０秒〜１分であることが好ましい。このような条件での熱処理によって、解れの防止効果が良好に向上する。
【００２５】
〔編成例〕
以下に、図１を参照しつつ、好ましい編成例を示す。
この編成例の経編地は、筬ＧＢ１と筬ＧＢ２にそれぞれ１イン１アウトのハーフセットで糸通しされた第１の非弾性糸１１と第２の非弾性糸１２による一対のハーフセット編みからなる非弾性糸編成組織と、筬ＧＢ３と筬ＧＢ４にそれぞれ１イン１アウトのハーフセットで糸通しされた第１の弾性糸２１と第２の弾性糸２２による一対のハーフセット編みからなる弾性糸編成組織とからなる。
【００２６】
図１に示すように、非弾性糸編成組織は、第１の非弾性糸１１が１０／１２／２１／２３／２１／１２／／の繰り返し単位からなり、第２の非弾性糸１２が２３／２１／１２／１０／１２／２１／／の繰り返し単位からなる。この非弾性糸編成組織は、６コースを繰り返し単位とし、各繰り返し単位において３ウェールの範囲で左右に振られている。
そして、第１の弾性糸２１と第２の弾性糸２２で編成される弾性糸編成組織も、図１に示すように、非弾性糸編成組織と同一の編成組織である。
【００２７】
このように、弾性糸編成組織が非弾性糸編成組織と同行するように構成されていることで、通気性や伸縮性に優れ、かつ、縁始末が不要な経編地となる。
なお、従来の経編地では伸縮性を付与するために弾性糸による挿入組織が一般に用いられてきたが、本発明のメッシュ経編地においては、上記弾性糸編成組織が伸縮性を付与する働きを有するので、従来一般に用いられてきた弾性糸による挿入組織は必要ではない。
【００２８】
〔別の編成例〕
本発明の経編地は、上記編成例以外にも種々の編成例が適用可能である。
例えば、図１に示す非弾性糸編成組織及び／又は弾性糸編成組織に代えて、閉じ目・開き目が異なる編成例を採用してもよい。例えば、経編地の全体において、あるいは、経編地の一部において、図１に示す非弾性糸編成組織及び／又は弾性糸編成組織を、図２（ａ）〜（ｅ）に示す非弾性糸編成組織及び／又は弾性糸編成組織に代えても良い。
具体的に説明すると、まず、図２（ａ）は、図１の弾性糸編成組織を全て閉じ目で構成した編成組織に変更したものであり、図２（ｂ）は、図１の弾性糸編成組織を全て開き目で構成した編成組織に変更したものである。図２（ｃ）は、非弾性糸編成組織を全て閉じ目で構成し、弾性糸編成組織を全て開き目で構成したものである。図２（ｄ）は、図１の非弾性糸編成組織を全て閉じ目で構成した編成組織に変更したものであり、図２（ｅ）は、図１の非弾性糸編成組織を全て開き目で構成した編成組織に変更したものである。
なお、図２（ａ）〜（ｅ）に示す編成例では、弾性糸編成組織を編成する弾性糸と非弾性糸編成組織を編成する非弾性糸とが、閉じ目・開き目の点において異なるところがあるものの、同一の編方向及び同一の変位幅で編成されているため、本発明にいう「同行」の条件を満足していることは上述の「同行」の定義から明らかなとおりである。
【００２９】
さらに、図１に示す非弾性糸編成組織及び／又は弾性糸編成組織に代えて、１繰り返し単位におけるコース数が異なる編成例を採用してもよい。例えば、経編地の全体において、あるいは、経編地の一部において、図１に示す非弾性糸編成組織及び／又は弾性糸編成組織を、図２（ｆ）〜（ｈ）に示す非弾性糸編成組織及び／又は弾性糸編成組織に代えても良い。
具体的に説明すると、図２（ｆ）は１繰り返し単位におけるコース数が４コースの例であり、図２（ｇ）は１繰り返し単位におけるコース数が８コースの例であり、図２（ｈ）は１繰り返し単位におけるコース数が１２コースの例である。
【００３０】
また、上で述べた編成例は、編地全体がメッシュ組織である場合の編成例であるが、図３〜５に示すように、ジャカード筬Ｊｂ１，Ｊｂ２、地筬ＧＢ２，ＧＢ３を備えた経編機を用いることで、メッシュ組織以外にジャカード柄組織を形成することもできる。
この編成例は、図５に示すように、非弾性糸編成組織が、図３に示す編成組織（基本組織）によるメッシュ組織部Ｘを有するとともに、基本組織から変化させてなる図４に示す編成組織（変化組織）を部分的に含ませることで、柄部分Ｙをも有するジャカード編成組織となっている。なお、図５では、理解の容易化のため、変化組織を構成する編成糸を太く示したが、実際の糸の太さを反映させたものではない。
【００３１】
図３に示す非弾性糸編成組織の基本組織及び弾性糸編成組織は、図１において地筬ＧＢ１，ＧＢ２を用いて編成される非弾性糸編成組織を、それぞれ、ジャカード筬Ｊｂ１，Ｊｂ２で編成し、また、図１において地筬ＧＢ３，ＧＢ４を用いて編成される編成組織を、それぞれ、地筬ＧＢ２，ＧＢ３で編成したものである。
【００３２】
非弾性糸編成組織の変化組織は、図４に示すように、第１の非弾性糸１１が１０／２３／／の繰り返し単位からなり、第２の非弾性糸１２が２３／１０／／の繰り返し単位からなる。
【００３３】
図３〜５から分かるように、非弾性糸１１，１２によるジャカード編成組織は、一方のハーフセット編みの変位あるいは非変位ではループが形成されない編目位置を、他方のハーフセット編みの変位あるいは非変位によってループ形成して補うように編成されていることにより、変化組織を含む全ての編目位置においてループが配置されている。そのため、支持組織がなくても安定した経編地となるとともに、柄や機能の変化をもたせることもでき、経編地の薄地化、軽量化が可能となっている。
【００３４】
なお、上記図３〜５に示す編成例では一部の編成糸のみを部分的に変化させることでドット柄を形成するようにしているが、図６に示すように全ての編成糸を同様の変化態様で変化させて帯状の柄部分Ｙを形成するようにすることもできる。
【００３５】
また、図１に示す編成組織において、閉じ目・開き目や１繰り返し単位におけるコース数を変えた変形例を図２に示したが、これと同様に、図３に示す非弾性糸の基本組織においても同様に閉じ目・開き目や１繰り返し単位におけるコース数の異なる種々の変形例が採用可能である。
【００３６】
上記各編成例に見るように、本発明によれば、最少４枚の筬で、通気性や伸縮性に優れ、かつ、縁始末が不要な経編地を得ることができ、さらに、筬の枚数を増やすことなく、柄や模様あるいは緊迫力の変化といった機能面の変化をもたせることもできる。
ただし、５枚以上の筬を用いて、上に述べた非弾性糸編成組織及び弾性糸編成組織以外の編成組織を組み合わせるようにしても良い。
【００３７】
〔経編地の用途〕
本発明にかかる経編地は、例えば、ファンデーションやインナーウェア、スポーツウェア、アウターウェアなどの衣類やカーテンなどに好適に利用できる。
本発明にかかる経編地を他の生地に縫い付けて衣類を作製することもできる。この場合、例えば、本発明にかかる経編地の一端のみを他の生地に縫い付ける（他端は縫い付けない）ような使用態様も可能である。本発明の経編地によれば、縁始末がなくても解れが生じ難いので、縫い付けを行わない他端においても、解れを生じてしまう懸念が殆どないからである。
【実施例】
【００３８】
以下、本発明にかかる経編地について実施例を示すが、本発明はこれら実施例に限定されるものではない。
【００３９】
〔実施例１〕
図１に示す編成組織のみで編成された経編地（経編地幅１３５ｃｍ、６５ウェール／ｉｎｃｈ、１２０コース／ｉｎｃｈ、目付１３３ｇ／ｍ2）を作製した。なお、編成後は、１９０℃で１分間熱処理を施すようにした。
編成装置としては、カールマイヤー社製のＲＳＥ５ＥＬ（２８ゲージ）を用いた。
【００４０】
非弾性糸編成組織は下記の糸使いで編成した。使用糸量は９７ｃｍ／Ｒとした。
ＧＢ１，２：ナイロン４４ｄｔ−３４ｆ−セミダル糸（東レ社製）
また、弾性糸編成組織は、下記の糸使いで編成した。使用糸量は７０ｃｍ／Ｒとした。
ＧＢ３，４：ライクラ４４ｄｔ−１２７−クリヤー糸（東レ・オペロンテックス社製）
【００４１】
〔実施例２〕
図２（ｂ）に示す編成組織のみで編成された経編地（経編地幅１９０ｃｍ、４５ウェール／ｉｎｃｈ、１２０コース／ｉｎｃｈ、目付１３３ｇ／ｍ2）を作製した。編成は、非弾性糸編成組織及び弾性糸編成組織の糸使いを以下のとおりに変更したこと以外は実施例１と同様とした。
ＧＢ１，２：ナイロン５６ｄｔ−１７ｆ−ブライト糸（東レ社製）
ＧＢ３，４：ライクラ７８ｄｔ−１２７−クリヤー糸（東レ・オペロンテックス社製）
【００４２】
〔実施例３〕
図３，４に示す編成組織により図５に示す経編地（経編地幅１９０ｃｍ、４５ウェール／ｉｎｃｈ、１２０コース／ｉｎｃｈ、目付１３９ｇ／ｍ2）を作製した。なお、編成後は、１８５℃で１分間熱処理を施すようにした。
編成装置としては、カールマイヤー社製のＲＳＪ４／１（２８ゲージ）を用いた。
【００４３】
非弾性糸編成組織は下記の糸使いで編成した。使用糸量は１０２ｃｍ／Ｒとした。
Ｊｂ１，２：ナイロン５６ｄｔ−１７ｆ−ブライト糸（東レ社製）
また、弾性糸編成組織は、下記の糸使いで編成した。使用糸量は７０ｃｍ／Ｒとした。
ＧＢ２，３：ライクラ７８ｄｔ−１２７−クリヤー糸（東レ・オペロンテックス社製）
【００４４】
〔性能評価〕
得られた経編地は、いずれも、メッシュ組織を含むため、通気性に優れるものであった。また、弾性糸を挿入糸ではなく編組織として用いている点で、通常のメッシュ経編地と大きく異なるものであるが、伸縮性に遜色はなかった。
さらに、どの方向に裁断しても、解れが極めて生じ難いものであった。
そして、実施例３の経編地においては、ジャカード機構による組織変化により、ドット柄が形成されているとともに、支持組織を用いていないにもかかわらず、安定した経編地が得られた。
【産業上の利用可能性】
【００４５】
本発明にかかる経編地は、例えば、ファンデーションやインナーウェア、スポーツウェア、アウターウェアやカーテンなど、特にファンデーションやインナーウェア、スポーツウェアの用途に好適に利用することができる。
【符号の説明】
【００４６】
１１，１２      非弾性糸
２１，２２      弾性糸
Ｘ              メッシュ組織部
Ｙ              柄部
ＧＢ１〜ＧＢ４  通常の筬
Ｊｂ１，Ｊｂ２  ジャカード筬
【図１】
0005443524.tif 000002
【図２】
0005443524.tif 000003
【図３】
0005443524.tif 000004
【図４】
0005443524.tif 000005
【図５】
0005443524.tif 000006
【図６】
0005443524.tif 000007